Podtech/llm-jp-corpus-v4-ja_patent huggingface dataset:
(57)【要約】      （修正有）【課題】株主通信として報告内容を読了した後もすぐに廃棄されることなく、カレンダーとして使用することができる卓上カレンダーを提供する。【解決手段】日付を印刷したカレンダー用紙と、当該カレンダー用紙を収納するケースからなる卓上カレンダーにおいて、前記カレンダー用紙の裏面に企業概要や決算等の報告を印刷する。片面にカレンダーが記載されており、他面には株主通信として利用される企業概念や決算等の報告が記載されている。卓上カレンダーとして利用できるように自立できる構造となっている。【選択図】図１
0003149055.tif 000002
【実用新案登録請求の範囲】
【請求項１】
日付を印刷したカレンダー用紙と、当該カレンダー用紙を収納するケースからなる卓上カレンダーにおいて、前記カレンダー用紙の裏面に企業概要や決算等の報告を印刷した卓上カレンダー。
【請求項２】
日付を印刷したカレンダー用紙をその一辺で綴じた卓上カレンダーにおいて、前記カレンダー用紙の裏面に企業概要や決算等の報告を印刷した卓上カレンダー。
【考案の詳細な説明】
【技術分野】
【０００１】  本考案は、卓上カレンダーに関する。
【背景技術】
【０００２】  上場企業等の株式会社では、定期的または不定期に決算等の報告書（以下「株主通信」という。）を発行し、株主に送付している。
【考案の開示】
【考案が解決しようとする課題】
【０００３】  しかしながら、株主通信に記載されている情報は一過的に利用され、株主等が読了した後は、目の届かないところに放置されるか、または廃棄されているのが一般的な現状である。また、株主通信の放置および廃棄は、作成に多大なコストが掛かることを鑑みると、コストパフォーマンスが低い。さらに、現在の地球環境における資源節約の観念にも則していない。
【課題を解決するための手段】
【０００４】  上記課題を解決するために、本考案は、日付を印刷したカレンダー用紙と、当該カレンダー用紙を収納するケースからなる卓上カレンダーにおいて、前記カレンダー用紙の裏面に企業概要や決算等の報告を印刷したことを特徴とする。【０００５】  また、他の態様としては、日付を印刷したカレンダー用紙をその一辺で綴じた卓上カレンダーにおいて、前記カレンダー用紙の裏面に企業概要や決算等の報告を印刷したことを特徴とする。
【考案の効果】
【０００６】  このように、日付を印刷したカレンダー用紙の裏面に企業概要や決算等の報告を印刷することにより、株主通信として報告内容を読了した後もすぐに廃棄されることなく、卓上カレンダーとして使用することができ、資源の有効活用になる。【０００７】  また、卓上カレンダーとしていつも身近に置かれることによって、会社概要や情報等を絶えず認知させることができる。
【考案を実施するための最良の形態】
【０００８】  本考案の実施の形態について、以下に説明する。図１は本考案の一実施例を示す外観図である。【０００９】  １はカード型用紙であって、片面にカレンダー（図２参照）が記載されており、他面には株主通信として利用される企業概要や決算等の報告（図３参照）が記載されている。２はカード型用紙を挿入可能な収納ケースであり、卓上カレンダーとして利用できるように自立できる構造となっている。【００１０】  カード型用紙１の片面にはカレンダーが記載され、その記載は既知の方法で記載できる。例えば、１ヶ月分の日付を記載してもよいし（図２参照）、１年分の日付を１枚のカード型用紙１に記載してもよい。また、カレンダーの記載範囲に関しては、次回配布時までの日付としてもよいし、１年分としてもよい。【００１１】  さらに、配布した企業に関する各種のイベントや行事予定などを予め記載しておくことにより、カレンダーを受領した者が企業に関する情報を容易に得ることができる。また、カレンダーが記載される面に、会社情報を記載しておくことによって、会社概要や情報等を絶えず認知させることができる。【００１２】  カード型用紙１のうち、カレンダーが記載された他面には、企業概要や決算等の報告が記載されている。記載の内容やレイアウトに関しては、制限事項はなく、作成者の意図するとおりに記載すればよい。例えば、左半分に会社概要や決算内容を記載し、右半分に写真、図または表などを記載すること（図３参照）で、容易に内容を理解することができる。【００１３】  収納ケース２へのカード型用紙１の挿入は、側方、上方または下方のいずれかから挿入可能であればよく、複数のカード型用紙１が挿入できる構造が好ましい。収納ケース２の自立構造については、種々の既知の構造が利用できる。【００１４】  図４は本考案の別の態様を示す外観図である。【００１５】  複数のカード型用紙１が、カレンダー台紙３の端部にまとめて綴じられており、綴じられた部分がヒンジとなり、めくれるように構成されている。カード型用紙１の記載内容に関しては、先述の実施態様と同様である。カード型用紙１のカレンダー台紙３への綴じ方については、種々の既知の方法が利用できる。例えば、金属やプラスティックのリングで綴じたり、切離し可能なミシン目を設けたりすることができる。カレンダー台紙３は自立可能な構造であり、既知の構造が利用できる。
【産業上の利用可能性】
【００１６】  本考案は、カレンダーと企業概要や決算等の報告を表裏に記載したカード型用紙を卓上カレンダーとして構成することで、株主通信として配布された報告書を有効利用できる。
【図面の簡単な説明】
【００１７】
【図１】  本考案に係る卓上カレンダーの外観図である。
【図２】  カード型用紙にカレンダーを記載した図である。
【図３】  カード型用紙に企業概要や決算等の報告等を記載した図である。
【図４】  本考案に係る卓上カレンダーの別の態様に関する外観図である。
【符号の説明】
【００１８】１  カード型用紙
２  収納ケース
３  カレンダー台紙
【図１】
0003149055.tif 000003
【図２】
0003149055.tif 000004
【図３】
0003149055.tif 000005
【図４】
0003149055.tif 000006
(57)【要約】【課題】本考案は保温・保冷車の荷台室内において臭い、菌、汚れの現象で困っていることを解決する為に、酸化チタンを室内表面に加工することで、それを防止したり減少させることに役立ち、効果をもたらす。【解決手段】本考案は保温・保冷車の荷台室内に酸化チタンを加工し、触媒効力発揮のためブラックライト３、４、５を取り付けるこれにより臭い、菌、汚れを防止し減少させる。また、より効力発揮を促す為、ファン６を取り付け、効果を加速させる。【選択図】図１
0003149053.tif 000002
【実用新案登録請求の範囲】
【請求項１】
保温・保冷車の荷台庫内壁面に酸化チタン加工し、触媒効力で消臭、滅菌、防汚を目的とした車両である。
【考案の詳細な説明】
【技術分野】
【０００１】本考案は、トラック荷台庫内表面に酸化チタン加工し、触媒効果で室内の消臭、滅菌、防汚に役立てるものである。【０００２】効力増強の為、室内にブラックライトを設置し微風を送り、空気対流を促進させる。
【背景技術】
【０００３】トラック荷台庫内に積んでいる荷物の臭いや菌の増殖、発散で、衛生管理に困っていた、又、室内の清掃にも困っていた。
【考案の開示】
【考案が解決しようとする課題】
【０００４】荷物による室内での臭い、菌の増殖や汚れを防ぎ、又は減少させ、衛生管理をした運搬に役だてる、又、室内清掃の時間短縮に役立てる。【０００５】荷室内壁面には汚れが付きやすく、臭いや菌の籠りやすい環境になるので、壁表面に酸化チタン加工をすることにより解消に役立てる。
【課題を解決するための手段】
【０００６】本考案は酸化チタン粉を保温・保冷車の荷台室内に刷毛で塗ったり、吹き付け、又は酸化チタン加工したものを張り付けた上で、ブラックライトを照射することにより、消臭、除菌、防汚に役立たせる、又は減少させるものである。
【考案の効果】
【０００７】保温・保冷車の荷台室内に酸化チタン加工を行い、ブラックライトから発せられる紫外線により触媒効果が発揮され臭、菌、汚を防いだり減少させるのに役立つ上清掃時間の短縮にの繋がる。【０００８】酸化チタンの特性は広く一般に知られるように、紫外線による光触媒効果で、臭いや菌や汚れが接することにより分解され減少する。又、親水性が高いため汚れが付きにくく清掃も水洗いだけで済む。
【考案の実施する為の最良の条件】
【０００９】上述の効果を発揮するため、室内面に酸化チタン加工し、紫外線を出すブラックライト等を設置することで、空気中に存在する臭いや菌を減少させる。さらに室内ファンを取り付けることで空気対流を促進させ、より多くの空気を壁面にあてて効力を増やす。室内清掃に於いては酸化チタンの親水性により水洗い等にて簡単にでき、清掃時間の大幅な短縮を図れる。
【実施例】
【００１０】保温・保冷車は、パン、肉等、臭いの出る物を運搬する。その為荷室内にその臭いが残るが、それを防ぐのに役立ち、減少させる。【００１１】同車は荷物により時間と共に菌を増殖するが、空気の対流で菌が壁面の酸化チタンに接し減少する。【００１２】荷物の出し入れの時、扉を開閉するが、その時に外部から侵入した雑菌も減少させる働きをする。【００１３】同車の荷室内の汚れは落ちやすく、水洗いだけで済むので清掃時間が少なくすむ。【００１４】荷室内の表面積は広く、効果発揮度が高い。【００１５】同車が車庫に入庫している時に電源を切っても、酸化チタンの効力はしばらくの間続くので、その間効果を発揮し続ける。
【図面の簡単な説明】
【００１６】
【図１】酸化チタンを荷室内表面に加工もしくは加工したものを張り付けブラックライト、ファンを設置した図である。
【符号の説明】
【００１７】１        保温・保冷車の荷室
２        荷室内酸化チタン加工、又は加工品張り
３        ブラックライト等紫外線を出すもの
４        ブラックライト等紫外線を出すもの
５        ブラックライト等紫外線を出すもの
６        ファン。室内状況により取り付け位置を決める
７        扉
【図１】
0003149053.tif 000003
(57)【要約】      （修正有）【課題】交通機関の車両内で頻繁に行われる痴漢を摘発することができる痴漢摘発補助具を提供する。【解決手段】痴漢摘発のための補助具として、小型容器１の内部に仕切り６を設けて２分割して塗料を染み込ませた２色の印肉２及び３を分割した所にそれぞれ配置し、印肉２及び３の塗料を指先につけ、その塗料を、痴漢行為を行う者のその手などに触れることでその塗料を付着させ痴漢行為を証明するための証拠とできるようにする。【選択図】図１
0003149056.tif 000002
【実用新案登録請求の範囲】
【請求項１】
小型容器の内部に仕切りを設けて２分割し、明色と暗色又は濃色と淡色のいずれかの組み合わせによる塗料を染み込ませた２色の印肉を、分割した所にそれぞれ配置したところを特徴とする痴漢摘発補助具。
【考案の詳細な説明】
【技術分野】
【０００１】本考案は、小型容器の内部に仕切りを設けて２分割し、塗料を染み込ませて痴漢摘発補助具とする２色の印肉に関するものである。
【背景技術】
【０００２】従来は、交通機関（電車・バス等）の車両内で頻繁に行われる痴漢を確実に摘発しようとする場合には、その者の手などを掴んで放さないようにして証人と共に交通機関の従業員などに引き渡すしかなかった。痴漢行為を行う者のその手を掴んでも振り払われ逃げられた場合には、再びその者を捕らえる（痴漢行為を行った者の顔を確認していない場合には捕らえることは困難である）ことができても、一度掴んだ手を放してしまったことにより痴漢を否定する口実（人違い・触れていないなど）を与えてしまうこととなる。また、捕らえた場所が痴漢の行われた場所から離れてしまった場合には、証人を確保することは難しい。痴漢行為が否定された時には、裁判で罪の有無が争そわれることになるが、物的証拠が無いことが多く、人違いの可能性もあることから裁定が困難となって裁判は長期化するようになっている。
【考案の開示】
【考案が解決しようとする課題】
【０００３】交通機関（電車・バス等）の車両内で頻繁に行われる痴漢を摘発しようとする場合には、混雑する車両の中で痴漢行為者を特定することが難しく、摘発しても素直に罪を認めることは少ない。痴漢行為が否定された時（特に証人がいない場合）には、裁判で罪の有無が争そわれることになるが物的証拠が無いことが多いため人違いの可能性もあり裁定は困難となって裁判は長期化するという難点がある。また、その裁定の結果によって冤罪が生じたり痴漢を見逃してしまうという難点がある。本考案は、この難点を解決しようとするものである。
【課題を解決するための手段】
【０００４】本考案は、小型容器の内部に仕切りを設けて２分割し、明色と暗色又は濃色と淡色のいずれかの組み合わせによる塗料を染み込ませた２色の印肉を分割した所にそれぞれ配置し、その小型容器に配置した印肉の塗料を指先につけて、痴漢行為を行う者のその手などに触れ、その手などに付着させた塗料を痴漢行為の証明をするための証拠とできるようにすることにより課題を解決するものである。
【考案の効果】
【０００５】本考案により痴漢行為を行う者のその手などに付着させた塗料が痴漢行為を証明する証拠になることにより、交通機関（電車・バス等）の車両内で頻繁に行われる痴漢を摘発しようとする場合に明らかな証拠があることで痴漢行為者が痴漢行為を行ったことを素直に認めさせることが可能となり、被害者の後方から痴漢行為が行われている時などにその者の顔が確認できない場合でも痴漢行為者の特定が可能となる。また、痴漢行為が否定された時（特に証人がいない場合）でも裁判で罪の有無が争そわれる場合の物的証拠として採用されることで裁判が長期化するという難点が解決され、その裁定の結果によって冤罪が生じたり痴漢を見逃してしまうという難点は証拠を検証することにより痴漢行為を行った者が特定され痴漢行為が立証されることで解決される。
【考案を実施するための最良の形態】
【０００６】素材がプラスチック等の小型容器の内部に仕切りを設けて２分割（分割したそれぞれの形状は指先１本分程度の大きさ）して、痴漢行為者の手などに付着させる塗料の色が服装の色などと同色となって視認が困難となることを避けるため明色と暗色又は濃色と淡色のいずれかの組み合わせによる塗料を染み込ませた２色の印肉を分割した所にそれぞれ配置し、配置した印肉の塗料の１色を指先１本の合計２本の指先に付け、痴漢行為を行う者のその手などに触れることでその手などに塗料を付着させ、痴漢行為を証明するための証拠とできるようにしたものである。小型容器は携帯に便利なように、仕切りを設けて２分割して配置した印肉を収納することができる最小の物とする。
【実施例】
【０００７】小型容器１の内部に仕切り６を設けて明色（又は淡色）の塗料を染み込ませた印肉２と暗色（又は２が淡色の場合は濃色）の塗料を染み込ませた印肉３を分割した所に配置する。印肉２及び３の奥行き４は指先から最も近い関節までの長さとし、印肉２及び３の幅５は指先から最も近い関節の幅とする。
【図面の簡単な説明】
【０００８】
【図１】小型容器と考案した小型容器内部の斜視図である。
【図２】考案した小型容器内部の上面図である。
【符号の説明】
【０００９】１  小型容器
２  明色（又は淡色）の塗料を染み込ませた印肉
３  暗色（又は２が淡色の場合は濃色）の塗料を染み込ませた印肉
４  印肉の奥行き
５  印肉の幅
６  仕切り
【図１】
0003149056.tif 000003
【図２】
0003149056.tif 000004
(57)【要約】      （修正有）【課題】梯子本体を安定させ且つ高所での安定作業を図った梯子補助部品を提供する。【解決手段】梯子補助部品本体１は、梯子Ｈの両支柱ａ先端に固定される嵌合部と該嵌合部の両端から斜め外側へ延びる両脚部とからなるほぼ台形状で、梯子Ｈの両支柱ａの上段の先端に、前記梯子補助部品本体１の符号Ａ位置で示す嵌合穴７を差し込み、壁面等に立て掛ける事により梯子Ｈ上段部分と壁面等との間に空間が出来、高所での作業による身体的負担の軽減、作業効率の向上且つ落下事故等の危険性の軽減に繋がる。【選択図】図３
0003149080.tif 000002
【実用新案登録請求の範囲】
【請求項１】
梯子の両支柱先端に固定される嵌合部と、該嵌合部の両端から斜め外側へ延びる両脚部とからなるほぼ台形状で、前記嵌合部は直方体のブロックで下部部分に梯子の両支柱が嵌合する嵌合穴を形成することを特徴とする梯子補助部品。
【請求項２】
前記嵌合部の上部部分に梯子の両支柱の幅より小さい小物入れの収納溝が形成されることを特徴とする請求項１記載の梯子補助部品。
【考案の詳細な説明】
【技術分野】
【０００１】
本考案は、梯子本体を安定させ且つ高所での安定作業を図った梯子補助部品に関する。
【背景技術】
【０００２】
従来の梯子上段での高所作業は、立て掛けた梯子の最上段と壁面等との間に空間がないため、身体が仰け反る不安定な姿勢となる。
そのため、身体への負担や梯子からの転落事故等に繋がる危険性が大きかった。
また、作業道具の置き場が無く、腰に付帯しての作業は物を落とす可能性が高く、落とした際は梯子の昇り降りを繰り返しを行わなければならず、作業効率の低下に繋がっていた。
【０００３】
従来、梯子体と壁面との間に所定のスペースを設けるための梯子体の補助具が知られている（特許文献１を参照）。
この公知技術は、梯子体の左右の基体間に複数の足掛け体を所定間隔をおいて上下方向に架設してなる梯子体において、該梯子体の上部に連結する連結部を設け、この連結部には直交する間隔保持体が設けられ、この間隔保持体の先端には壁面に当設する当設体が設けられたものである。
この梯子体の補助具は、連結部に前記間隔保持体を連結する止着部材が必要であり、どのような梯子体にも使用できるものではなかった。
【０００４】
また、梯子を屋根に掛ける時、梯子が雨樋に当たらないようにする梯子支え器具が知られている（特許文献２を参照）。
この公知技術は、ロ字型枠の一辺と直方体とで梯子の柱を挟み、ロ字型枠の側面に開けた二ヶ所の穴にくさび式ボルトを通し、さらに該ボルトを直方体の穴に通し、その直方体の穴から突き出た、くさび式ボルトの先端に開けられた細長穴にくさびを差し込んで固定し、そして、その反対側のロ字型枠のゴム板が貼り付けてある一辺を屋根にあてて設置する梯子支え器具である。
この梯子支え器具は、くさび式ボルトが必要であり、取り付けが複雑であり、かつ製作が容易ではなかった。
【特許文献１】特開２０００−４５６６７号公報
【特許文献２】特開２００４−１１４００号公報
【考案の開示】
【考案が解決しようとする課題】
【０００５】
本考案は、このような従来の問題を解決しようとするものであり、梯子本体を安定且つ安全な作業の実現する梯子補助部品を提供することを目的とするものである。
【課題を解決するための手段】
【０００６】
そして、本考案の梯子補助部品は上記目的を達成するため、梯子の両支柱先端に固定される嵌合部と、該嵌合部の両端から斜め外側へ延びる両脚部とからなるほぼ台形状で、前記嵌合部は直方体のブロックで下部部分に梯子の両支柱が嵌合する嵌合穴を形成するものである。
前記嵌合部の上部部分に梯子の両支柱の幅より小さい小物入れの収納溝が形成されるものである。
【考案の効果】
【０００７】
上述したように本考案の梯子補助部品は、使用者の身体への負担を軽減するとともに、梯子上段での安定且つ安全な作業を提供できる。
すなわち、この梯子補助部品を梯子上段部分にはめ込み装着することにより、梯子上段部分と壁面等との間に空間を作り出し、作業中の姿勢が不安定になる事を回避し、身体への負担及び落下事故等の危険性を軽減する効果を発揮する。
【考案を実施するための最良の形態】
【０００８】
以下、本考案の梯子補助部品の一実施例を図面に基づいて説明する。
図１の上方斜視図および図２の下方斜視図に示すように、本考案の梯子補助部品本体１は、梯子の両支柱先端に固定される嵌合部４と該嵌合部４の両端から斜め外側へ延びる両脚部３とからなるほぼ台形状で、前記嵌合部４は梯子の両支柱幅よりやや長くし、また前記両脚部３は壁面等との間に空間を持たせるため長さは５０センチ、高さ幅を１０センチとする。
また、前記両脚部３の先端部分は壁面等との摩擦を考慮し滑り止め２の加工を施す。
【０００９】
前記梯子補助部品本体１の嵌合部４と両脚部３の接合部分は壁面等との空間を持たせるため角度を持たせる。
これは角度を持たせることにより、梯子補助部品本体１の嵌合部４よりかかる負荷を分散させ、梯子を安定させるためである。
さらに、前記梯子補助部品本体１の上段部分は強度を持たせるため、壁面との空間を持たせるための両脚部３との間に補強枠５を入れる。
【００１０】
前記梯子補助部品本体１の嵌合部４は、直方体のブロックで上部部分に梯子の両支柱の幅より小さい小物入れの収納溝６が形成され、下部部分に梯子の両支柱が嵌合する嵌合穴７を形成する。
すなわち梯子補助部品本体１の下部に形成した嵌合穴７に梯子の両支柱を差し込むのである。
前記梯子補助部品本体１の下部に形成した嵌合穴７に梯子を差し込んだ際、梯子を壁面に斜めに立て掛けたときに梯子補助部品本体１が水平となるように嵌合穴７は１５度の角度を形成しており、さらに簡単に前記嵌合穴７から梯子の上部が抜けないようになっている。
【００１１】
また、前記梯子補助部品本体１の嵌合穴７を梯子の両支柱の上段に差し込んだ際、前記梯子補助部品本体１の上部には小物入れの収納溝６が形成されているので、該収納溝６に作業道具などを収納することが出来る。
【００１２】
次に、本考案の梯子補助部品の操作動作を図面に基づいて説明する。
図３に示すように、本考案の梯子補助部品本体１の符号Ａ位置で示す嵌合穴７を梯子Ｈの両支柱ａの先端に嵌め込み、両者を連結固定する。
そして、前記梯子補助部品本体１の滑り止め２側が壁面に接するように梯子Ｈを斜めに立て懸けると、本考案の梯子補助部品本体１により壁面との間に空間が形成され、梯子Ｈの両支柱ａの負荷は両脚部３へ掛かるので安定して支持される。
【００１３】
以上のように、お互いの両脚部３にかかる負担を分散させることにより梯子補助部品本体１の強度を上げ、且つ梯子Ｈと壁面等との間に空間を持たせることを可能とし、使用者の身体的負担を軽減することができる。
【図面の簡単な説明】
【００１４】
【図１】本考案品の実施形態を示す梯子補助部品の下方斜視図である。
【図２】本考案品の実施形態を示す梯子補助部品の上方斜視図である。
【図３】本考案の使用状態を説明する説明図である。
【符号の説明】
【００１５】
１  梯子補助部品本体
２  滑り止め
３  両脚部
４  嵌合部
５  補強枠
６  収納溝
７  嵌合穴
【図１】
0003149080.tif 000003
【図２】
0003149080.tif 000004
【図３】
0003149080.tif 000005
(57)【要約】      （修正有）【課題】垂降時に障害となること少なく、着脱が容易で、かつ安価な自転車用傘保持装置を提供する。【解決手段】自転車用傘保持装置は、主として傘を支える傘保持棒１、及び一端に傘保持棒、他端に自転車ハンドル支柱部分をはめ込みネジ止め固定可能な接続部Ａ２、及び一端に傘保持棒、他端に傘の柄をはめ込みネジ止め固定可能な接続部Ｂ３の三点で構成する。使用に当たっては、傘保持棒１に付いている接続具Ａ２を自転車のハンドル支柱部分に押し込み、手動ツマミで固定する。それから傘保持棒上部に付いている接続具Ｂ３に傘の柄を押し込み、やはり手動ツマミで固定する。傘の取りはずしは、該手動つまみをゆるめて抜き取れば良い。【選択図】図９
0003149073.tif 000002
【実用新案登録請求の範囲】
【請求項１】
傘を支える傘保持棒、及び一端に傘保持棒、一端に自転車ハンドル支柱部分をはめ込みネジ止め固定可能な接続具、及び一端に傘保持棒、一端に傘の柄をはめ込みネジ止め固定可能な接続具の三点からなり、接続具の自転車ハンドル支柱側と傘の柄側のネジは手動で開閉可能なツマミによる簡易構造の自転車用傘保持装置。
【請求項２】
傘を支える傘保持棒の下部には自転車ハンドル支柱部分をはめ込みネジ止め可能な接続部、及び上部には傘の柄をはめ込みネジ止め可能な接続部を設けており、ネジは手動で開閉可能なツマミによる簡易構造の自転車用傘保持装置。
【考案の詳細な説明】
【技術分野】
【０００１】  この考案は、自転車用傘保持装置に関するものである。
【背景技術】
【０００２】  雨天時、傘を差しての自転車走行は片手運転となり危険で違法である。その為、各種の自転車用傘保持装置が発表されているが、現在実用、普及されているとは言えない。
【考案の開示】
【考案が解決しようとする課題】
【０００３】  実用普及化されていない理由に次の様な問題が考えられる。
走行時の安定性、実際雨を防げるかの不安、前方確認の不便さ、乗り降り時の不便さ、傘及び装置の取り付け、取り外しについての厄介さ、そして価格。
この考案は、以上の問題点を解決するためになされたものである。
【課題を解決するための手段】
【０００４】〔請求項１〕
傘を支える傘保持棒、及び一端に傘保持棒、一端に自転車ハンドル支柱部分をはめ込みネジ止め固定可能な接続具、及び一端に傘保持棒、一端に傘の柄をはめ込みネジ止め固定可能な接続具の三点からなり、接続具の自転車ハンドル支柱側と傘の柄側のネジは手動で開閉可能なツマミによる簡易構造の自転車用傘保持装置である。【０００５】〔請求項２〕
傘を支える傘保持棒の下部には自転車ハンドル支柱部分をはめ込みネジ止め可能な接続部、及び上部には傘の柄をはめ込みネジ止め可能な接続部を設けており、ネジは手動で開閉可能なツマミによる簡易構造の自転車傘保持装置である。
【考案の効果】
【０００６】  自転車のハンドル支柱には、程よい傾斜がある。その傾斜を用い、支柱延長上に傘を持っていくと、丁度雨を防ぐ事が出来る事を利用する。装着時には、傘と自転車と乗員が一体化する感じになり、目の前に傘の軸が有る事、乗り降りの不便さは気にならない程度である。
傘保持棒はハンドルの中心下部に有る支柱部分から出ているので（ハンドル上部からではない）、自転車の装着時の走行も安定している。
なによりもこの考案の利点は、簡易な構造である故、取り付け、取り外し作業が容易である（自転車ハンドル支柱部分、傘の柄の固定用ネジは手動で開閉可能なツマミによる。）。
晴天時はもちろんの事、雨天時において臨時に駐輪しておく場合でも、接続具（接続部分）ごと自転車から容易にはずす事が出来る。又、構造が簡易な故、安価に設定でき、壊れる事も少ない。
傘を自転車から容易にはずす事の出来る自転車用傘保持装置は有るが、接続具自体を自転車から容易にはずせるものはない。その様な装置は、晴天時には、労力をかけて接続具をはずすか、付けたまま走行しなければならない負担が有る。
【考案を実施するための最良の形態】
【０００７】  以下、この考案の実施の形態について説明する。
請求項１においては、予め傘保持棒（１）の下部に、接続具Ａ（２）（図２）上部には接続具Ｂ（３）（図５）をネジ止め（４）しておく（図１）。
請求項２においては、傘保持棒と接続部が一体である（図８）。
自転車の乗員の身長、乗り方による癖の影響はネジ止め（４、５、６）の位置で対処可能。
使用する傘は、大きすぎると安定性が問題となり、小さすぎると雨を防ぐのに問題となる。理想的なのは、見通しの利く大き目のビニール傘（半径６０ｃｍ）で、その傘を利用する事を前提として、傘の柄の太さに合わせて接続部分の寸法を決めるのが望ましい。
雨天時には、請求項１において、まず傘保持棒（１）に付いている接続具Ａ（２）を自転車のハンドル支柱部分に押し込み、手動ツマミ（３）で固定する。それから傘保持棒上部に付いている接続具Ｂ（５）に傘の柄を押し込み、やはり手動ツマミ（６）で固定する。
請求項２では、一体化した傘保持棒（７）の下部に付いている接続部Ａ（８）を自転車のハンドル支柱部分に押し込み、手動ツマミ（３）で固定する。
それから傘保持棒上部についている接続部Ｂ（９）に傘の柄を押し込み、やはり手動ツマミ（６）で固定する。
晴天時や、雨天時において臨時で駐輪しておく場合、請求項１では、接続具Ａ（２）、Ｂ（５）の手動ツマミ（３）、（６）で自転車から装置と傘を取り外せば良い。請求項２でも、同様である。
請求項１では、接続具Ａ（２）、Ｂ（５）は、傘保持棒（１）に付けたままとなる。
【図面の簡単な説明】
【０００８】
【図１】  この考案、請求項１の斜視図  傘保持棒に接続具Ａと接続具Ｂを取り付けた全体図
【図２】  接続具Ａの斜視図
【図３】  接続具Ａの立面図
【図４】  接続具Ａの側面図
【図５】  接続具Ｂの斜視図
【図６】  接続具Ｂの立面図
【図７】  接続具Ｂの側面図
【図８】  この考案、請求項２の斜視図
【図９】  この考案、請求項１の使用状態を示す側面図
【図１０】  この考案、請求項２の使用状態を示す側面図
【符号の説明】
【０００９】１    請求項１、傘保持棒
２    請求項１、接続具Ａ（自転車ハンドル支柱側）
３    請求項１、接続具Ｂ（傘の柄側）
４    傘保持棒固定用ネジ
５    自転車ハンドル支柱部分固定用、手動ツマミ
６    傘の柄固定用、手動ツマミ
７    請求項２、傘保持棒部
８    請求項２、接続部Ａ（自転車ハンドル支柱側）
９    請求項２、接続部Ｂ（傘の柄側）
【図１】
0003149073.tif 000003
【図２】
0003149073.tif 000004
【図３】
0003149073.tif 000005
【図４】
0003149073.tif 000006
【図５】
0003149073.tif 000007
【図６】
0003149073.tif 000008
【図７】
0003149073.tif 000009
【図８】
0003149073.tif 000010
【図９】
0003149073.tif 000011
【図１０】
0003149073.tif 000012
(57)【要約】【課題】一人でも運搬可能で、騒音も小さく、雨期でも砂つまりが生じることが少なく、安定した状態で作業することができる墓石等への字彫装置を提供する【解決手段】窒素ガスボンベ２と、研削材を供給するブラストタンク３と、該ブラストタンク３内の研削材とともにガスボンベ２内の窒素ガスを噴射するノズル４とを備え、窒素ガス圧によって研削材を墓石等の被研削材に噴射することにより被研削材表面を窒素ガス濃度が高い雰囲気下で研削可能に構成する。【選択図】図１
0003149874.tif 000002
【実用新案登録請求の範囲】
【請求項１】
窒素ガスボンベと、研削材を供給するブラストタンクと、該ブラストタンク内の研削材とともにガスボンベ内の窒素ガスを噴射するノズルとを備え、窒素ガス圧によって研削材を墓石等の被研削材に噴射することにより被研削材表面を窒素ガス濃度が高い雰囲気下で研削可能に構成したことを特徴とする墓石等への字彫装置。
【請求項２】
窒素ガスボンベのガス吐出口に、圧力調整弁を設けたことを特徴とする請求項１に記載の墓石等への字彫装置。
【考案の詳細な説明】
【技術分野】
【０００１】
本考案は、墓石等の被研削材に字彫りを行う墓石等への字彫装置に関する。
【背景技術】
【０００２】
現在、御影石等の墓石に字彫りを行うために、サンドブラスト装置が利用されている。この従来のサンドブラスト装置は、研削材を供給するブラストタンクと、エンジンコンプレッサーとを備え、コンプレッサーからのエア圧によって研削材をブラストノズルから噴射するように構成されている。
【０００３】
しかし、エンジンコンプレッサーはその作動時の騒音が大きく、作業場が住宅街の中に存在する墓地のような場合、近隣住民への配慮のために墓地管理者によりコンプレッサーの使用が許可されない現場が増加しつつある。
【０００４】
また、エンジンコンプレッサーは最低１５０ｋｇもの重量があり、一人で運搬することは困難であるため、現場へ持ち込むには運搬機材を用いて複数人で作業する必要があり、人件費が嵩むという問題がある。
【０００５】
また、雨期等に空気中の湿度が高い場合、その高湿度の空気を圧縮して利用することになるが、ブラスト装置内やホース内などで砂などの研削材が湿気てしまうことによる砂つまりが多発し、雨期は特に作業効率が落ちるという問題がある。
【０００６】
さらに、コンプレッサーから供給される圧縮空気内には酸素や二酸化炭素も大量に含まれており、高圧で噴射されると墓石表面やマスキング材との摩擦によって火の粉が飛び散ることもある。
【考案の概要】
【考案が解決しようとする課題】
【０００７】
本考案は、上記問題点に鑑み、一人でも運搬可能で、騒音も小さく、雨期でも砂つまりが生じることが少なく、安定した状態で作業することができる墓石等への字彫装置を提供することを目的とする。
【課題を解決するための手段】
【０００８】
本考案の墓石等への字彫装置は、窒素ガスボンベと、研削材を供給するブラストタンクと、該ブラストタンク内の研削材とともにガスボンベ内の窒素ガスを噴射するノズルとを備え、窒素ガス圧によって研削材を墓石等の被研削材に噴射することにより被研削材表面を窒素ガス濃度が高い雰囲気下で研削可能に構成したことを特徴とするものである。さらに、窒素ガスボンベのガス吐出口に、圧力調整弁を設けることが好ましい。
【考案の効果】
【０００９】
本考案によれば、一人でも運搬可能な窒素ガスボンベ内のガス圧を利用してサンドブラストを行うものであるから、墓地等の現場へ運搬する際の人員を少なくすることができ、大型の運搬機材も必要ではなく、作業コストを低減することができる。さらに、エンジンコンプレッサー等の大騒音を発生させる装置を用いる必要がなく、住宅街でも問題なく使用できる。さらに、雨期等の高湿度の空気を利用するものではなく、窒素ガスボンベ内の乾燥した窒素ガスの圧力を用いるため、砂つまり等が殆ど発生せず、効率よく作業を行うことができる。さらに、ノズルから噴射されるガスが安定した窒素ガスであるため、墓石表面やマスキング用ゴムシートと反応して火の粉を生じさせたりゴムシートを劣化させることが少なく、安定した状態で作業を行うことができる。
【図面の簡単な説明】
【００１０】
【図１】図１は、本発明の一実施例に係る墓石等の字彫装置を示す全体図である。
【考案を実施するための形態】
【００１１】
以下、本考案の好適な実施の形態を、図示実施例に基づいて説明する。
【００１２】
図１は本考案の一実施例に係る墓石等への字彫装置１を示している。該字彫装置１はガス圧サンドブラストシステムによって主構成されており、窒素ガスボンベ２と、研削材を供給するブラストタンク３と、該ブラストタンク３内の研削材とともにガスボンベ２内の窒素ガスを噴射するノズル４とを備え、窒素ガス圧によって研削材を墓石等の被研削材に噴射することにより墓石などの被研削材表面を窒素ガス濃度が高い雰囲気下で研削可能に構成したものである。
【００１３】
窒素ガスボンベ２は、３０００Ｌや７０００Ｌの容量のものを用いることが好ましく、３０００Ｌボンベを用いる場合は、ボンベを背負うための背負子を用いて運搬することが好ましい。また、７０００Ｌボンベの場合は、キャリーに載せて運搬することができる。
【００１４】
窒素ガスボンベ２のガス吐出口には減圧弁として機能する圧力調整弁５と圧力計とが設けられており、ボンベ内ガス圧を被研削体を研削するための最適な圧力にまで減圧して利用することができるようになっている。
【００１５】
ボンベ２、ブラストタンク３及びノズル４は、可撓性のホース６によって接続されている。なお、これらの装置構成部品一式をキャリーに載せて転がして運搬することが好ましい。
【００１６】
図示実施例では模式的に表しているが、ブラストタンク３は、直圧式、吸引式などの従来公知の種々の形式のものを採用できる。墓石などの硬度の高い被研削材の場合には、直圧式を採用することが好ましい。
【符号の説明】
【００１７】
１  字彫装置（サンドブラスト装置）
２  窒素ガスボンベ
３  ブラストタンク
４  ブラストノズル
５  圧力調整弁
【図１】
0003149874.tif 000003
(57)【要約】【課題】  本考案は既存の吹き矢に興じるときに、息漏れを防止するマウスピースである。【解決手段】  本願吹き矢用マウスピースは、一文字である唇に、円形の吹き矢筒を銜えて肺からの内部圧力をかけると唇の両端から息漏れを起しやすい、肺の圧力を調整すると矢に勢いがなくなり的に直線に飛ばなくなる、従って外周に行くにしたがい徐徐に薄くした楕円形板を唇と歯の間に挟み口内の密閉度を高くし、息漏れを防止することを特徴としたマウスピースである。【選択図】図６
0003149877.tif 000002
【実用新案登録請求の範囲】
【請求項１】
唇と歯の間に挟み違和感のない柔軟性を備えた素材で、中心部に吹き矢筒を隙間なく密着挿入可能な孔を形成し、外形は楕円形で外周にいくに従って徐徐に薄くして口中に入れて使用することを特徴とする吹き矢用マウスピース。
【請求項２】
唇と歯の間に挟み違和感のない柔軟性を備えた素材で形成し、外周に行くに従って徐徐に薄くし、口中に入れて使用する楕円形板と、吹き矢筒を密着差し込み可能な短い筒とを一体形成した事を特徴とする吹き矢用マウスピース。
【考案の詳細な説明】
【技術分野】
【０００１】
本考案は吹き矢筒ｆで矢を飛ばす際、口元から息漏れを防ぐための吹き矢筒ｆに直接隙間無くはめ込む吹き矢用マウスピースである。
【背景技術】
【０００２】
従来は吹き矢筒ｆにストレートのゴム管などをはめて歯を保護する程度の干渉的役割を持たせているが、的を狙い矢を飛ばすために肺から息を吐き出す時、吹き矢筒ｆは円筒形である為に、もともと一文字である口は唇をきつく丸めても圧力をかけると唇の両端から息漏れが生じることが多い、したがって目で的を確認し、狙い定めて一定の圧力で毎回息漏れがないよう細心の注意を払い矢を飛ばすことを同時に行うことは至難である。
【考案の開示】
【考案が解決しようとする課題】
【０００３】
吹き矢の練習および競技会において、的への的中率が頭から放れず、丸い吹き矢筒ｆに一文字である唇は完全に丸くつぼめたつもりでも両端は綻びやすく頭は的に集中している為、口元は疎かになることが多い、したがって息漏れを起こしやすい。この息漏れを完全に防止するためのマウスピースである。
【課題を解決するための手段】
【０００４】
本願吹き矢用マウスピースは唇と歯の間に挟み違和感のない柔軟性を備えた素材で、中心部に吹き矢筒を隙間なく密着挿入可能な孔を形成し、外形は楕円形で外周に行くに従って徐徐に薄くして口中に入れて使用する事を特徴とする。
又唇と歯の間に挟み違和感のない柔軟性を備えた素材で形成し、外周に行くに従って徐徐に薄くして口中に入れて使用する楕円形板と、吹き矢筒を密着差し込み可能な短い筒とを一体形成した事を特徴とする吹き矢用マウスピース。
【考案の効果】
【０００５】
上記の様に本考案の口内において密閉度は高く、柔軟性をもったマウスピースは口に銜え唇と歯の間に挟むことで肺から吐き出す息に圧力をかけると、唇と歯はおのずと力が入り口元が閉まり、密閉度は高く、息漏れは皆無に等しく、毎回決まらなかった一定の肺の圧力が吹き矢筒ｆに漏れなく直接伝わる。したがって吹き矢筒ｆから飛び出す矢は、一定の線上を決まった圧力で飛び出し、的中率が高くなった。又、請求項２に記載のマウスピースは、金属製、樹脂製の硬い吹き矢筒ｆが歯に当たらず、歯を傷めない。楕円形板２が短筒３と一体形成されるので、吹き矢筒ｆが固定されて安定する。
【考案を実施するための最良の形態】
【０００６】
図１及び図２において、ｆは吹き矢筒であり、真っ直ぐな円筒形であり、競技用と練習用のいずれの吹き矢筒でも良い。１は唇と歯の間に挟み込み可能なマウスピースであり、口内に入れても痛み、圧迫感を感じない素材とし、例えばゴム又は柔軟性を備えた合成樹脂とし、唇と歯の間に挟んでも違和感のない柔軟性をもった素材で形成する。そして孔１ａはマウスピース１の中央部に開けた孔型マウスピース１に吹き矢筒ｆを差し込み可能とし、且つ息漏れがないようきつく差し込み可能な孔とする。図３及び図４において、ｆは上記と同様吹き矢筒である。２は、上記マウスピースと同様の素材であるが、その中央に短筒３を組み込んで一体化する。この短筒３は、吹き矢筒ｆの外側にはめ込み可能な筒状態であり、比較的短い長さ、例えば５０ｍｍ程度の長さとする。素材は、吹き矢筒ｆを差し込み可能とする為ある程度の柔らかさを備えたもので、例えば孔型マウスピース１と同様ゴム又は合成樹脂とする。この楕円形板２と短筒３を一体形成して短筒型マウスピース４を作る。そして短筒型マウスピース４は吹き矢筒ｆを組み込み息漏れを確認する。
次に各々のマウスピースの使い方を説明する。図５は孔型マウスピース１を組み立て完了した図２に示すマウスピースを口に銜えた側断面図である。孔型マウスピース１は唇の内側と歯の前で挟み孔型マウスピースの表と裏全面をしっかりガードし、息漏れを完全に防いでいる。図６は上記と同じ使い方をするが、異なる点は吹き矢筒ｆを筒型マウスピース４に挿入したときの吹き矢筒と短筒孔の接触面積にあり、接触面積が広いだけ息漏れはない。又短筒型マウスピース４を口中に入れ、的に狙いを定める時、短筒の一部を軽く銜えることが出来る。孔型マウスピース１は硬い筒を歯で銜えるのに違和感があり歯に損傷を与える可能性が考えられるが、この短筒型マウスピース４は歯に当たる部分にもしっかりと歯を保護して銜えることが出来る短筒が伸びている、よって顔と筒の固定度が高く、的を狙う正確さが高い。孔型マウスピース１及び短筒型マウスピース４は互いに口内に入れて使用するため衛生的に気を使わなければならず、使用前後には必ず取り外し、洗浄消毒を心がける必要があるため容易に抜き差しできるよう短筒３及び孔型マウスピース１ａの孔の大きさについては正確さが肝要である。
【図面の簡単な説明】
【０００７】
【図１】孔型マウスピース１の正面及び側断面図。
【図２】吹き矢筒ｆに孔型マウスピース１を組み付けた状態の側面断面図。
【図３】短筒型マウスピース４の正面及び側面断面図。
【図４】吹き矢筒ｆに短筒型マウスピース４を組み付けた状態の側面断面図。
【図５】孔型マウスピースを口に銜えた側面断面図。
【図６】筒型マウスピースを口に銜えた側面断面図。
【符号の説明】
【０００８】
ｆ    吹き矢筒
１    孔型マウスピース
１a    円孔
２    楕円形板
３    短筒
４    短筒型マウスピース
【図１】
0003149877.tif 000003
【図２】
0003149877.tif 000004
【図３】
0003149877.tif 000005
【図４】
0003149877.tif 000006
【図５】
0003149877.tif 000007
【図６】
0003149877.tif 000008
(57)【要約】      （修正有）【課題】道路付近から発生する臭気（メタン、ブタンガス等）または温室効果ガス（ＣＯ２、ＮＯｘ等）または両者、および熱を誘導あるいは収集するにあたり、雨水管路のデッドスペースを有効利用するシステムを提供する。【解決手段】雨水管路または雨水槽に温室効果ガス処理装置へと繋がる吸気管を結ぶ事で、雨水管路または雨水槽自体が温室効果ガス及び熱を誘導あるいは収集できることを特徴とする。【選択図】図２
0003149888.tif 000002
【実用新案登録請求の範囲】
【請求項１】
雨水管路または槽の内部の空気及び雨水管周辺の大気を誘導または収集する目的の吸気管を温室効果ガス処理装置に接続した構造を特徴とする雨水管路を利用する臭気あるいは温室効果ガスおよび熱の誘導または収集システム。
【請求項２】
雨水管路に直結または連結し、水溜め排水装置およびシステム制御スイッチにより制御され、あるいは降雪検出器ｆからなる制御スイッチ、あるいは不純物除去装置を設け、あるいは吸気口付近に収集板を取り付けた請求項１記載の雨水管路を利用する臭気あるいは温室効果ガスおよび熱の誘導または収集システム。
【考案の詳細な説明】
【技術分野】
【０００１】
本考案は雨水管路を利用する、臭気あるいは温室効果ガスおよび熱の誘導または収集システムに関する。
【背景技術】
【０００２】
従来の技術は温室効果ガス処理装置（メタン、ブタン処理装置およびco2処理装置およびnox処理装置等、あるいはその全てを処理できる装置、以後処理装置）への雪や雨水の浸入、あるいは枯れ葉などの不純物が混入する事を恐れ、また、近隣への騒音による苦情を恐れ、あるいはシステムの効果に不安を抱き、未だ商品化されていない。
温室効果ガス抑制に関する技術が、特開２０００−２１８１２９に記載されているが、本考案の技術とは異なる。
【先行技術文献】
【特許文献】
【０００３】
【特許文献１】特開２０００−２１８１２９
【考案の概要】
【考案が解決しようとする課題】
【０００４】
図１に示す雨水管路３から臭気４及び排気ガス５が大気開放されていること。
【０００５】
処理装置に大量の水が流れ込む恐れがあること。
【０００６】
あるいは降雨時に雨水管路内の吸気速度が著しく変化することにより騒音を発すること。
【０００７】
処理装置に枯れ葉などの不純物が入り込む恐れがあること。
【０００８】
処理装置に雪が入り込む恐れがあること。
【０００９】
実際に雨水管路を利用して温室効果ガスを誘導または収集した際に、どの程度の効果があるか不明であること。
【００１０】
誘導または収集する際に収集効率が悪いこと。
【課題を解決するための手段】
【００１１】
図２に示す雨水管路３と処理装置を吸気口аおよび吸気管あるいは吸気ダクトｂ（以後吸気管ｂ）で接続し、吸気管ｂに圧送する送風機dを取り付ける。あるいは処理装置が吸引する。
【００１２】
図２に示す吸気管ｂに水溜めを設け内部に電極棒あるいはフロートスイッチeを付けさらに水溜めから排水するための電磁弁ｃを付ける。水溜めが満水になると上記記載電極棒あるいはフロートスイッチeの働きにより送風あるいは吸気を止め、さらに水溜め内部の水が電磁弁ｃから雨水管路へ水が戻される。
【００１３】
図２に示す吸気口аに電極棒ｌを付け雨水管路内の水位により風量調整弁ｍで吸気量を調整する。
【００１４】
処理装置に枯れ葉等の不純物の混入を防ぐ為、吸気管路ｂに図２に示す不純物除去装置ｈを設ける。
【００１５】
降雪時は図２に示す降雪検出器ｆからなる制御スイッチにより吸気を止める。
【００１６】
図２に示す吸気管ｂにｃｏ２濃度計ｋおよびメタン濃度計ｊ等の温室効果ガス用濃度計を付け、さらに流量計ｉを付けることにより、濃度×流量、から誘導または収集量を知ることができる。
【００１７】
図２に示す間接的吸気口О付近に収集板ｎを付ける事で、より高い位置でのガスおよび熱を誘導あるいは収集することができる。
【考案の効果】
【００１８】
道路付近での臭気や排気ガスは２０年、３０年、あるいはそれ以前から問題視されていて、それぞれ排出量の削減は試みられているが、局所型大気浄化装置を除き、自然まかせとなっているのが現状である。現在私共が直面している地球温暖化問題はこうした温室効果ガスの放置によるあたりまえの結果であり、直ちに改善すべき問題である
さて、雨水管路の多くは道路に平行して設けてあるが、その構造は民家、高層住宅、店舗、工場などの土地や屋根へと、あらゆる高さと場所に張りめぐり、降雨時は主要雨水管路や川へ雨水を導いている。しかし、降雨時以外は下水や生活排水等の臭気を発する悪者であり、その空間をもて余している。
本考案はその悪者を良質化し、有効利用する事で新たな設備費用を削減し、多大な温室効果ガスを低コストで誘導または収集することを実現可能とする。また、蛇足ではあるが太陽光発電と処理装置と本考案をセットで設備するとその効果は絶大であり、官公庁のみならず幹線道路に隣接する工場やショッピングモール等にも取り入れていただきたい。
【図面の簡単な説明】
【００１９】
【図１】雨水管路の断面図
【図２】本考案の立面図
【考案を実施するための形態】
【００２０】
本考案の詳細について、実施例を基に図面を引用して説明する。
【実施例１】
【００２１】
図２を元に雨水管路３に吸気口аおよび吸気管ｂを接続または連結し、吸気管ｂに送風機ｄを付け処理装置に繋ぐ（吸気口аおよび吸気管ｂの大きさ、又は、太さは雨水管路３の大きさおよび処理装置の能力により異なる為、吸気量最大時、騒音を発しない大きさ又は太さにする）。
さらに処理装置への水の浸入を防ぐため吸気管ｂに水溜めを設け内部に電極棒あるいはフロートスイッチeを付け、さらに水溜めから排水するための電磁弁ｃを付け制御する。
吸気口аには電極棒ｌを付け雨水管路内の水位により風量調整弁ｍで吸気量を調整する。
間接的吸気口О付近には収集板をつけ、吸気管ｂにｃｏ２濃度計ｋおよびメタン濃度計ｊ等の温室効果ガス濃度計と流量計ｉを付け誘導または収集量計測盤ｐへ配線する。
処理装置の能力上必要な場合、処理装置に枯れ葉等の不純物の混入を防ぐ為、吸気管ｂに不純物除去装置ｈを設ける。降雪のある地域においては降雪検出器ｆにより吸気を止める装置を付ける。
上記から成る雨水管路を利用する臭気あるいは温室効果ガス および熱の収集システムを既に工場などに設置されている、あるいは新設される処理装置に接続し、運転する。
【産業上の利用可能性】
【００２２】
本考案の雨水管路を利用する臭気あるいは温室効果ガスおよび熱の誘導または収集システムは、工業生産が可能である。
【符号の説明】
【００２３】
１  降雨時以外の雨水管路内の水（主に生活排水）
２  降雨時以外の雨水管路内のデッドスペース
３  雨水管路
４  雨水管路から出る臭気（メタン、ブタン等）
５  自動車排気ガス（ co2,nox等）
ａ  吸気口
ｂ  吸気管
ｃ  排水用電磁弁
ｄ  送風機
ｅ  電極棒あるいはフロートスイッチ
ｆ  降雪検出器
ｇ  制御盤
ｈ  不純物除去装置
ｉ  流量計
ｊ  メタン濃度計
ｋ  ｃｏ２濃度計
ｌ  電極棒
ｍ  風量調整弁
ｎ  収集板
ｏ  間接的吸気口
ｐ  誘導または収集量計測盤
【図１】
0003149888.tif 000003
【図２】
0003149888.tif 000004